(57)【要約】【課題】一体成形が可能なシンプルな構成でありながら紐に対する係止力及び操作性に優れた紐留め具を提供する。【解決手段】紐状体を挿通する一対の挿通孔２と、紐状体の各先端側を下にしてループ状に巻き付ける一対の突起部３と、紐状体を受持する一対の受け面４とを備え、一対の突起部３は一対の挿通孔２に対向する面がそれぞれ当該挿通孔２に向かって下向きに傾斜する傾斜面３２に形成されると共に一対の挿通孔２に対向する面とは反対側の面がそれぞれ円弧状垂直面３１に形成され、一対の受け面４と一対の紐状体のループ部にそれぞれ挟持させて当該紐状体の各引き抜き方向の力に抗して任意の位置に係止する。【選択図】図１
2017121439.tif 000002
【特許請求の範囲】
【請求項１】
紐状体を挿通する挿通孔と、前記紐状体の先端側を下にしてループ状に巻き付ける突起部と、前記紐状体を受持する受け面とを備え、前記突起部は前記挿通孔に対向する面が当該挿通孔に向かって下向きに傾斜する傾斜面に形成されると共に前記挿通孔に対向する面とは反対側の面が円弧状垂直面に形成され、前記受け面と前記紐状体のループ部に挟持させて当該紐状体の引き抜き方向の力に抗して任意の位置に係止することを特徴とする紐留め具。
【請求項２】
紐状体を挿通する一対の挿通孔と、前記紐状体の各先端側を下にしてループ状に巻き付ける一対の突起部と、前記紐状体を受持する一対の受け面とを備え、前記一対の突起部は前記一対の挿通孔に対向する面がそれぞれ当該挿通孔に向かって下向きに傾斜する傾斜面に形成されると共に前記一対の挿通孔に対向する面とは反対側の面がそれぞれ円弧状垂直面に形成され、前記一対の受け面と前記一対の紐状体のループ部にそれぞれ挟持させて当該紐状体の各引き抜き方向の力に抗して任意の位置に係止することを特徴とする紐留め具。
【請求項３】
前記一対の突起部の両側面の外側に平行な一対の側壁を有し、前記一対の側壁の内側に前記一対の受け面及びその一対の受け面を連結する連結面を備え、前記一対の受け面がそれぞれ下向きに傾斜する傾斜面に形成され、前記側壁の一方又は両方に前記紐状体の各先端部を挿入する貫通孔が形成されていることを特徴とする請求項２に記載の紐留め具。
【請求項４】
前記一対の突起部の頂点部の高さが前記一対の側壁の上辺部の高さよりも若干高くなるように形成されていることを特徴とする請求項３に記載の紐留め具。
【請求項５】
請求項３又は請求項４に記載の紐留め具において、前記紐留め具の底面部の中央部分を高くして前記一対の挿通孔を有する両端部側に向かって下向きに傾斜させることにより、前記紐留め具を使用する対象物と前記底面部との接触面積が大きくなるように形成されていることを特徴とする紐留め具。
【発明の詳細な説明】
【技術分野】
【０００１】
本発明は、紐留め具に関するものである。
【背景技術】
【０００２】
本願発明者は、紐綴じ具又は紐係止具に関する従来技術に独自の改良を加え、以下に示すような発明を提案している。
【０００３】
特開２０１０−２１４７４８号公報（特許文献１）には、紐の両端を容易・迅速に綴じることができる紐綴じ具を提供することを目的とし、略平行な一対の側片部を有し、一対の側片部を底片部にて連結して紐差込用凹溝を形成し、一対の側片部に紐を弾発的に挟む二対の爪部を形成するとともに、紐差込用凹溝に連通する紐挿通孔を形成し、紐差込用凹溝の長手方向の一端側と他端側の各々に爪部１を一対ずつ設ける「紐綴じ具」が提案されている。
【０００４】
また、特開２０１１−１９４７４１号公報（特許文献２）には、紐状体が緩む方向に強い力がはたらいても、確実に緩み止めをすることができる紐綴じ具を提供することを目的とし、紐状体を受持する受け面と、受け面に対して先端部が接近分離自在に基端ヒンジ部にて揺動する傾斜状係止突片とを備え、受け面と係止突片の先端部に紐状体を挟持させ、紐状体が緩む方向へ移動すると係止突片が紐状体からの摩擦力により受け面に接近して紐状体の緩み止めをするように構成し、係止突片を受け面に垂直な一の平面に関して対称に複数対設ける「紐綴じ具」が提案され、本願発明者は、既に特許権を取得している（特許第５４００６７７号）。
【０００５】
また、特開２０１４−３０９９９号公報（特許文献３）には、紐に対する係止力・操作性に優れ、紐を係止した状態で側面方向からの力が加わった場合でも外れ難く、一体成形が可能なシンプルな構成を採用して製造コストの低減をも図ることを目的とし、紐状体を挿通する貫通孔と、紐状体を受持する受け面と、受け面に対して先端部が接近分離自在に基端ヒンジ部にて揺動する傾斜状係止突片とからなる挟持部と、挟持部において紐状体を係止した状態を解除する押下部とを備え、受け面と傾斜状係止突片の先端部に紐状体を挟持させ当該紐状体の端部の引き抜き方向の力に抗して任意の位置に係止する「紐係止具」が提案され、本願出願人は、既に特許権を取得している（特許第５３５５８０６号）。
【先行技術文献】
【特許文献】
【０００６】
【特許文献１】特開２０１０−２１４７４８号公報
【特許文献２】特開２０１１−１９４７４１号公報
【特許文献３】特開２０１４−３０９９９号公報
【発明の概要】
【発明が解決しようとする課題】
【０００７】
しかし、上記特許文献２又は特許文献３に記載した紐綴じ具又は紐係止具を靴紐の留め具として利用する場合、靴の甲の高さ方向に嵩張るため安定性に欠けるという問題を有している。
そこで、本発明は、本願発明者が更に鋭意検討を重ねて従来技術に改良を加え、一体成形が可能なシンプルな構成でありながら紐に対する係止力及び操作性に優れ、靴紐の留め具として利用する場合に嵩張り難く安定性にも優れた紐留め具を提供することを目的とする。
【課題を解決するための手段】
【０００８】
上記の課題を解決するために、請求項１に記載の発明は、紐状体を挿通する挿通孔と、前記紐状体の先端側を下にしてループ状に巻き付ける突起部と、前記紐状体を受持する受け面とを備え、前記突起部は前記挿通孔に対向する面が当該挿通孔に向かって下向きに傾斜する傾斜面に形成されると共に前記挿通孔に対向する面とは反対側の面が円弧状垂直面に形成され、前記受け面と前記紐状体のループ部に挟持させて当該紐状体の引き抜き方向の力に抗して任意の位置に係止することを特徴とする。
【０００９】
また、請求項２に記載の発明は、紐状体を挿通する一対の挿通孔と、前記紐状体の各先端側を下にしてループ状に巻き付ける一対の突起部と、前記紐状体を受持する一対の受け面とを備え、前記一対の突起部は前記一対の挿通孔に対向する面がそれぞれ当該挿通孔に向かって下向きに傾斜する傾斜面に形成されると共に前記一対の挿通孔に対向する面とは反対側の面がそれぞれ円弧状垂直面に形成され、前記一対の受け面と前記一対の紐状体のループ部にそれぞれ挟持させて当該紐状体の各引き抜き方向の力に抗して任意の位置に係止することを特徴とする。
【００１０】
また、請求項３に記載の発明は、請求項２に記載の前記一対の突起部の両側面の外側に平行な一対の側壁を有し、前記一対の側壁の内側に前記一対の受け面及びその一対の受け面を連結する連結面を備え、前記一対の受け面がそれぞれ下向きに傾斜する傾斜面に形成され、前記側壁の一方又は両方に前記紐状体の各先端部を挿入する貫通孔が形成されていることを特徴とする。
【００１１】
また、請求項４に記載の発明は、請求項３に記載の前記一対の突起部の頂点部の高さが前記一対の側壁の上辺部の高さよりも若干高くなるように形成されていることを特徴とする。
【００１２】
また、請求項５に記載の発明は、請求項３又は請求項４に記載の紐留め具において、前記紐留め具の底面部の中央部分を高くして前記一対の挿通孔を有する両端部側に向かって下向きに傾斜させることにより、前記紐留め具を使用する対象物と前記底面部との接触面積が大きくなるように形成されていることを特徴とする。
【発明の効果】
【００１３】
以上のように、本発明にかかる紐留め具によれば、一体成形が可能なシンプルな構成でありながら、受け面と紐状体のループ部に挟持させ紐状体の引き抜き方向（又は紐状体が緩む方向）の力に抗して任意の位置に係止でき且つ紐状体の先端側を上方に抜き取ることにより簡単に緩めることができるため、従来よりも操作性が向上し且つ確実に緩み止め機能を発揮することが可能になる。
また、一対の突起部の両側面の外側に平行な一対の側壁を有し、一対の突起部の頂点部の高さが一対の側壁の上辺部の高さよりも若干高くなるように形成することにより、外側からの衝撃を防ぐと共に、突起部に身体の一部が触れた場合でも接触点が分散され痛みを少なくする効果を発揮することが可能になる。
【００１４】
また、紐留め具の底面部の中央部分を高くして一対の挿通孔を有する両端部側に向かって下向きに傾斜させることにより、靴紐の留め具として利用する場合に靴の甲と底面部との接触面積が大きくなり嵩張り難く安定性が向上する。
【図面の簡単な説明】
【００１５】
【図１】本発明にかかる紐留め具の一例を示す正面図である。
【図２】図１に示す紐留め具の平面図である。
【図３】図１に示す紐留め具の底面図である。
【図４】図１に示す紐留め具の側面図である。
【図５】図１に示す紐留め具の一部拡大断面図である。
【図６】図１に示す紐留め具の使用状態の一例を示す平面図である。
【図７】図１に示す紐留め具の使用状態の一例を示す側面図である。
【図８】図１に示す紐留め具を緩める状態を示す説明図である。
【発明を実施するための形態】
【００１６】
以下、本発明の実施の一形態について図面を参酌しながら説明する。図１は本発明にかかる紐留め具の一例を示す正面図、図２は平面図、図３は底面図、図４は側面図である。
【００１７】
紐留め具１は、図１乃至図４に示すように、紐状体を挿通する一対の挿通孔２と、紐状体の各先端側を下にしてループ状に巻き付ける一対の突起部３と、紐状体を受持する一対の受け面４とを備えている。なお、本実施例では、紐留め具１の挿通孔２と突起部３と受け面４が各一対の構成のものを説明するが、このような一対の構成に限定されるものではなく、紐状体を挿通する１つの挿通孔２と、紐状体の先端側を下にしてループ状に巻き付ける１つの突起部３と、紐状体を受持する１つの受け面４とを備えた紐留め具であって、紐状体の一端部は固定されており他端部を挿通孔２に挿通して先端側を下にして突起部３にループ状に巻き付けて任意の位置に係止する構成でもよい。
【００１８】
紐留め具１の突起部３は、後述する紐状体の係止状態を確実にすると共に、係止状態の解除を容易にするために、各挿通孔２に対向する面が各挿通孔２に向かって下向きに傾斜する傾斜面３２に形成され、その傾斜面３２の反対側の面が円弧状垂直面３１に形成されている（図５参照）。また、傾斜面３２の両サイドに側面３３が形成されている。
【００１９】
また、紐留め具１は、図２及び図４に示すように、外側からの衝撃を防ぐために一対の突起部３の両側面の外側に平行な一対の側壁６を有しており、一対の側壁６の内側に一対の受け面４及びその一対の受け面４を連結する連結面５を備えている。また、図５に示すように、受け面４が下向きに傾斜する傾斜面に形成されている。ここで、紐留め具１の突起部３と受け面４と連結面５の角度の実施例について、紐留め具１の突起部３の円弧状垂直面３１と連結面５の角度（図５のａ）は９０度、紐留め具１の受け面４の傾斜角度（図５のｂ）は約２０度、紐留め具１の突起部３の傾斜面３２と受け面４の角度（図５のｃ）は約１３０度に設定する。これにより、紐状体の係止状態が不用意に解除されることを防止することができる。なお、傾斜角度の設定は適宜変更してもよい。
【００２０】
また、図１及び図２に示すように、両方の側壁６には紐状体の各先端部を挿入する貫通孔７が形成されている。これにより、紐状体の各先端部を体裁よくまとめることができる（図６参照）。
【００２１】
また、図１及び図４に示すように、紐留め具１の一対の突起部３の頂点部３４の高さが、一対の側壁６の上辺部６１の高さよりも若干高くなるように形成されている。これにより、紐留め具１の突起部３に身体の一部が触れた場合でも接触点が分散され痛みを少なくする効果を発揮する。
【００２２】
また、図１及び図３に示すように、紐留め具１の底面部８の中央部分を高くして一対の挿通孔２を有する両端部側に向かって下向きに傾斜させることにより、紐留め具１を使用する対象物（例えば、靴）と底面部８との接触面積が大きくなるように形成されている。これにより、靴紐の留め具として利用する場合に靴の甲と紐留め具１の底面部８との接触面積が大きくなり嵩張り難く安定性が向上する。
【００２３】
図６は図１に示す紐留め具の使用状態の一例を示す平面図、図７は側面図である。
紐留め具１を使用する際は、図６及び図７に示すように、紐状体Ｓを紐留め具１の一対の挿通孔２に挿通し、紐状体Ｓの各先端側を下にして一対の突起部３にループ状に巻き付けて締める方向に引くと、紐状体Ｓの各先端側はループ部Ｓ２と紐留め具１の一対の受け面４により挟持される。これにより、紐状体Ｓは、各先端側の引き抜き方向又は緩む方向（図７のＸ方向）の力に抗して任意の位置に係止する。
【００２４】
図８は図１に示す紐留め具を緩める状態を示す説明図である。
任意の位置に係止した紐状体Ｓを緩める際は、図８に示すように、紐状体Ｓの各先端側を斜め上方向（図８のＹ方向）に引き上げると、ループ部Ｓ２が突起部３から抜き出て、係止状態を解除することができる。このため、紐留め具１は一体成形が可能なシンプルな構成でありながら、受け面４と紐状体Ｓのループ部Ｓ２に挟持させ紐状体Ｓの引き抜き方向（又は紐状体Ｓが緩む方向）の力に抗して任意の位置に係止でき、紐状体Ｓの各先端側を突起部３の傾斜面３２に沿って斜め上方向に抜き上げることにより簡単に緩めることができる。
【００２５】
本発明にかかる紐留め具１は、靴紐の端部を係止するのに適しているが、これに限定されるものではない。紐留め具１の材質としてはプラスチックが好適であり、上述したように一体成形が可能なシンプルな構成を採用したので、製造コストの低減を図ることができる。なお、材質及び製造方法についてはこれに限定されるものではなく、金属を用いてもよい。
【符号の説明】
【００２６】
１  紐留め具
２  挿通孔
３  突起部
３１  円弧状垂直面
３２  傾斜面
３３  側面
３４  頂点部
４  受け面
５  連結面
６  側壁
６１  上辺部
７  貫通孔
８  底面部
Ｓ  紐状体
Ｓ１  先端部
Ｓ２  ループ部
【図１】
2017121439.tif 000003
【図２】
2017121439.tif 000004
【図３】
2017121439.tif 000005
【図４】
2017121439.tif 000006
【図５】
2017121439.tif 000007
【図６】
2017121439.tif 000008
【図７】
2017121439.tif 000009
【図８】
2017121439.tif 000010